(57)【要約】【課題】番組予約を行う際の予約状況の確認および入力操作が簡便で、ユーザの操作性および利便性の優れた情報記録再生装置を提供すること。【解決手段】番組予約情報設定部３００は、操作部１６３における上下および左右のカーソルキーと確定キーのキー入力を検出するキー検出部３０２と、ＨＤ２００、またはＤＶＤ２０２の記録残量を検出する記録残量検出部３０４と、時間計測部３０１における現在時刻、キー検出部３０２におけるキー検出の結果およびＨＤ２００またはＤＶＤ２０２の記録残量に基づいて番組予約情報を設定するとともに、後述する番組予約表などの設定された番組予約情報を有する映像情報をＯＳＤ１４６に生成させる番組予約設定部３０３と、を備え、当該設定された番組予約情報または当該設定時に設定に必要な情報を映像情報に生成させ、外部に接続されたモニタなどに表示させるようになっている。【選択図】      図３
2005045385.tif 000002
【特許請求の範囲】
【請求項１】
予め定められた日時に配信される映像データまたは音声データの少なくとも何れか一方を含むコンテンツ情報の記録または再生の少なくとも何れか一方の予約を制御する情報予約制御装置であって、
前記コンテンツ情報が配信される日を示す日情報と当該コンテンツ情報の配信開始時刻を示す開始時刻情報または配信終了時刻を示す終了時刻情報の少なくとも何れか一方を含む日時情報とを入力し、前記日情報および前記日時情報を確定させるための入力手段と、
前記入力手段に設けられ、少なくとも前記入力された日情報を確定するために用いられる確定キーと、
前記入力手段に設けられ、前記日情報を入力するために用いられるとともに、当該日情報の確定後に前記開始時刻情報または前記終了時刻情報の少なくとも何れか一方を入力するために用いられる少なくとも一の日時情報入力キーと、
を備えたことを特徴とする情報予約制御装置。
【請求項２】
請求項１に記載の情報予約制御装置において、
更に前記入力手段に設けられ、前記開始時刻情報または前記終了時刻情報の少なくとも何れか一方を入力するために用いられる時刻情報入力キーを備え、
前記時刻情報入力キーが、前記日時情報入力キーと異なる時間間隔によって時刻を変化させて前記開始時刻情報または前記終了時刻情報の少なくとも一方を入力するために用いられることを特徴とする情報予約制御装置。
【請求項３】
請求項２に記載の情報予約制御装置において、
前記時刻情報入力キーが、前記時間間隔を前記日時情報入力キーより大きく変化させて前記開始時刻情報または前記終了時刻情報の少なくとも何れか一方を入力するために用いられることを特徴とする情報予約制御装置。
【請求項４】
請求項１乃至３の何れか一項に記載の情報予約制御装置において、
前記入力手段が、前記開始時刻情報または前記終了時刻情報の少なくとも何れか一方を入力するために用いられる情報入力キーを有する場合に、
前記情報入力キーが、前記開始時刻情報または前記終了時刻情報の入力する際に、入力する時刻を先に進める順送り部と、当該入力する時刻を後に戻す逆送り部と、から構成されていることを特徴とする情報予約制御装置。
【請求項５】
請求項１乃至４の何れか一項に記載の情報予約制御装置において、
前記日時情報が入力される際に、入力される当該日時情報に対応して当該日時情報を告知するための画像データを生成する画像データ生成手段と、
前記確定された日時情報に基づいて、配信される前記コンテンツ情報の記録制御を行う記録制御手段と、
を備えたことを特徴とする情報予約制御装置。
【請求項６】
予め定められた日時に配信される映像データまたは音声データの少なくとも何れか一方を含むコンテンツ情報の記録または再生の少なくとも何れか一方の予約を制御する情報予約制御装置であって、
前記コンテンツ情報が配信される日を示す日情報と当該コンテンツ情報の配信開始時刻を示す開始時刻情報または配信終了時刻を示す終了時刻情報の少なくとも何れか一方を含む日時情報とを入力し、前記日情報および前記日時情報を確定させるための入力手段と、
前記日時情報が入力される際に、入力される当該日時情報に対応して当該日時情報を日毎に告知するための画像データを生成する画像データ生成手段と、
前記確定された日時情報に基づいて、配信される前記コンテンツ情報の記録または再生の少なくとも何れか一方の制御を行う制御手段と、
を備え、
前記画像データ生成手段が、前記予約終了時刻が入力される場合であって、当該予約終了時刻と前記設定された予約開始時刻が異なる日に属する場合に、前記予約開始時刻が属する日の表示に連続させて当該予約終了時刻を表示する画像データを生成することを特徴とする情報予約制御装置。
【請求項７】
予め定められた日時に配信される映像データまたは音声データの少なくとも何れか一方を含むコンテンツ情報の記録予約を制御する情報予約制御装置であって、
前記コンテンツ情報が配信される日を示す日情報と当該コンテンツ情報の配信開始時刻を示す開始時刻情報または配信終了時刻を示す終了時刻情報の少なくとも何れか一方を含む日時情報とを入力し、前記日情報および前記日時情報を確定させるための入力手段と、
前記日時情報が入力される際に、入力される当該日時情報に対応して当該日時情報を告知するための画像データを生成する画像データ生成手段と、
前記確定された日時情報に基づいて、配信される前記コンテンツ情報を記録媒体に記録させる制御手段と、
前記記録媒体の記録可能な残量を示す記録残量情報を検出する検出手段と、
前記検出された記録残量情報に基づいて前記入力手段における日時情報の入力を制限する制限手段と、
を備えたことを特徴とする情報予約制御装置。
【請求項８】
請求項６または７に記載の情報予約制御装置において、
前記画像データ生成手段が、日毎に時間軸を有する前記画像データに前記日時情報を組み込むことを特徴とする情報予約制御装置。
【請求項９】
予め定められた日時に配信される映像データまたは音声データの少なくとも何れか一方を含むコンテンツ情報の記録または再生の少なくとも何れか一方の予約を制御する情報予約制御方法であって、
前記コンテンツ情報が配信される日を示す日情報を入力するために用いられる日時情報入力キーによって当該日情報が入力された場合に、前記日情報を確定させる第１入力処理工程と、
前記日情報の確定後に、前記日時情報入力キーによって、前記コンテンツ情報の配信開始時刻を示す開始時刻情報または配信終了時刻を示す終了時刻情報の少なくとも何れか一方を含む日時情報が入力された場合に、当該日時情報を確定される第２入力処理工程と、
を含むことを特徴とする情報予約制御方法。
【請求項１０】
予め定められた日時に配信される映像データまたは音声データの少なくとも何れか一方を含むコンテンツ情報の記録または再生の少なくとも何れか一方の予約を制御する情報予約制御方法であって、
前記コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、当該入力された日情報および日時情報を確定する入力処理工程と、
前記日時情報が入力される際に、入力される当該日時情報に対応して当該日時情報を日毎に告知するための画像データを生成する画像データ生成工程と、
前記確定された日時情報に基づいて、配信される前記コンテンツ情報の記録または再生の少なくとも何れか一方の制御を行う制御工程と、
を含み、
前記画像データ生成工程においては、前記予約終了時刻が入力される場合であって、当該予約終了時刻と前記設定された予約開始時刻が異なる日に属する場合に、前記予約開始時刻が属する日の表示に連続させて当該予約終了時刻を表示する画像データを生成することを特徴とする情報予約制御方法。
【請求項１１】
予め定められた日時に配信される映像データまたは音声データの少なくとも何れか一方を含むコンテンツ情報の記録予約を制御する情報予約制御方法であって、
前記コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、当該入力された日情報および日時情報を確定させる入力処理工程と、
前記日時情報が入力される際に、入力される当該日時情報に対応して当該日時情報を告知するための画像データを生成する画像データ生成工程と、
前記確定された日時情報に基づいて、配信される前記コンテンツ情報を記録媒体に記録させる制御工程と、
前記記録媒体の記録可能な残量を示す記録残量情報を検出する検出工程と、
を含み、
前記入力処理工程においては、前記検出された記録残量情報に基づいて前記日時情報の入力を制限させることを特徴とする情報予約制御方法。
【請求項１２】
コンピュータによって、予め定められた日時に配信される映像データまたは音声データの少なくとも何れか一方を含むコンテンツ情報の記録または再生の少なくとも何れか一方の予約を制御する情報予約制御プログラムであって、
前記コンピュータを、
前記コンテンツ情報が配信される日を示す日情報を入力するために用いられる日時情報入力キーによって当該日情報が入力された場合に、前記日情報を確定させる第１入力確定手段、
前記日情報の確定後に、前記日時情報入力キーによって、前記コンテンツ情報の配信開始時刻を示す開始時刻情報または配信終了時刻を示す終了時刻情報の少なくとも何れか一方を含む日時情報が入力された場合に、当該日時情報を確定させる第２入力確定手段、
として機能させることを特徴とする情報予約制御プログラム。
【請求項１３】
コンピュータによって、予め定められた日時に配信される映像データまたは音声データの少なくとも何れか一方を含むコンテンツ情報の記録または再生の少なくとも何れか一方の予約を制御する情報予約制御プログラムであって、
前記コンピュータを、
前記コンテンツ情報が配信される日を示す日情報と当該コンテンツ情報の配信開始時刻を示す開始時刻情報または配信終了時刻を示す終了時刻情報を少なくとも何れか一方を含む日時情報とが入力された場合に、当該入力された日情報および日時情報を確定する入力確定手段、
前記日時情報が入力される際に、入力される当該日時情報に対応して当該日時情報を日毎に告知するための画像データを生成する画像データ生成手段、
前記確定された日時情報に基づいて、配信される前記コンテンツ情報の記録または再生の少なくとも何れか一方の制御を行う制御手段、
として機能させるとともに、
前記コンピュータを前記画像データ生成手段として機能させる際に、前記予約終了時刻が入力される場合であって、当該予約終了時刻と前記設定された予約開始時刻が異なる日に属する場合に、前記予約開始時刻が属する日の表示に連続させて当該予約終了時刻を表示する画像データを生成させることを特徴とする情報予約制御プログラム。
【請求項１４】
コンピュータによって、予め定められた日時に配信される映像データまたは音声データの少なくとも何れか一方を含むコンテンツ情報の記録予約を制御する情報予約制御プログラムであって、
前記コンピュータを、
前記コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、当該入力された日情報および日時情報を確定する入力確定手段、
前記日時情報が入力される際に、入力される当該日時情報に対応して当該日時情報を告知するための画像データを生成する画像データ生成手段、
前記確定された日時情報に基づいて、配信される前記コンテンツ情報を記録媒体に記録させる制御手段、
前記記録媒体の記録可能な残量を示す記録残量情報を検出する検出手段、
前記日時情報が入力される際に、前記検出された記録残量情報に基づいて前記日時情報の入力を制限する制限手段、
として機能させることを特徴とする情報予約記録制御プログラム。
【請求項１５】
請求項１２乃至１４の何れか一項に記載の情報予約制御プログラムをコンピュータに読み取り可能に記録したことを特徴とする情報記録媒体。
【発明の詳細な説明】
【０００１】
【発明の属する技術分野】
本発明は、放送される番組の画像データを予約録画等によって記録する際や再生予約をする際に、当該番組の予約を行う番組予約装置に関する。
【０００２】
【従来の技術】
従来、ビデオカセットレコーダの普及や記録用ＤＶＤ（Ｄｉｇｉｔａｌ  Ｖｅｒｓａｔａｉｌ  Ｄｉｓｃ）レコーダまたはハードディスクレコーダの開発などにより、放送番組をＤＶＤ、ハードディスクまたはビデオカセットなどの記録媒体に記録することが一般化している。
【０００３】
特に、放送番組は、放送時刻が予め定められているため、放送時に当該各種レコーダを操作せずに、プログラムタイマーを用いて予約録画を行う技術が普及しており、ビデオカセットレコーダ、ＤＶＤレコーダおよびハードディスクレコーダなど（以下、「レコーダ等」という。）のほとんどのレコーダには、当該予約録画を行う装置（以下、「番組予約装置」という。）が搭載されている。
【０００４】
このような番組予約装置では、モニタの表示画面に録画予約の登録状況を一覧表形式で表示させるものが知られている。具体的には、この番組予約装置は、モニタの表示画面に、横方向に時刻および縦方向に日付を割り当て、時刻と日付の時間帯の交点する位置に予約番組を表示させるようになっている（例えば、特許文献１）。
【特許文献】
特開平３−２１５７８２号公報
【０００５】
【発明が解決しようとする課題】
しかしながら、従来の番組予約装置であっては、日付または曜日などの日の種類を設定する日付キーおよび時刻を設定する時刻キーがそれぞれ必要となっており、特に、時刻の設定に関しては、１日２４時間あるため、時刻設定を時間単位と分単位など２種類以上のキーによって行うようになっていた。
【０００６】
例えば、従来の番組予約装置は、時刻の設定用に１５分や３０分などの比較的長い時間間隔で時刻を変化させる操作キーと、１分などの短い時間間隔で時刻を変換させるキーと２種類の操作キーを備えており、これらの操作キーを組み合わせてユーザに予約開始時刻および予約終了時刻の設定を行わせていたため、容易にかつ短時間で、予約時刻を設定することができなかった。
【０００７】
また、従来の番組予約装置であっては、予約開始時刻と予約終了時刻が異なる日付となる番組予約の場合には、日付毎に予約番組を表示するようになっていたため、当該予約状況を有機的に、かつ、一体的に表示することができなかった。
【０００８】
さらに、このような従来の番組予約装置であっては、番組予約された放送番組を記録する際に、当該放送番組を記録媒体に記録する記録部分とは、別個独立の構成を有しており、記録媒体の記録残量との関連性を持たせて番組予約を行う構成を有していなかった。
【０００９】
本発明は、上記の各問題点に鑑みて為されたもので、その課題の一例としては、番組予約を行う際の予約状況の確認および入力操作が簡便で、ユーザの操作性および利便性の優れた情報記録再生装置を提供することを目的とする。
【００１０】
【課題を解決するための手段】
上記課題を解決するため、請求項１に記載の情報予約制御装置は、予め定められた日時に配信される映像データまたは音声データの少なくとも何れか一方を含むコンテンツ情報の記録または再生の少なくとも何れか一方の予約を制御する情報予約制御装置であって、前記コンテンツ情報が配信される日を示す日情報と当該コンテンツ情報の配信開始時刻を示す開始時刻情報または配信終了時刻を示す終了時刻情報の少なくとも何れか一方を含む日時情報とを入力し、前記日情報および前記日時情報を確定させるための入力手段と、前記入力手段に設けられ、少なくとも前記入力された日情報を確定するために用いられる確定キーと、前記入力手段に設けられ、前記日情報を入力するために用いられるとともに、当該日情報の確定後に前記開始時刻情報または前記終了時刻情報の少なくとも何れか一方を入力するために用いられる少なくとも一の日時情報入力キーと、を備える構成を有している。
【００１１】
また、請求項６に記載の情報予約制御装置は、予め定められた日時に配信される映像データまたは音声データの少なくとも何れか一方を含むコンテンツ情報の記録または再生の少なくとも何れか一方の予約を制御する情報予約制御装置であって、前記コンテンツ情報が配信される日を示す日情報と当該コンテンツ情報の配信開始時刻を示す開始時刻情報または配信終了時刻を示す終了時刻情報の少なくとも何れか一方を含む日時情報とを入力し、前記日情報および前記日時情報を確定させるための入力手段と、前記日時情報が入力される際に、入力される当該日時情報に対応して当該日時情報を日毎に告知するための画像データを生成する画像データ生成手段と、前記確定された日時情報に基づいて、配信される前記コンテンツ情報の記録または再生の少なくとも何れか一方の制御を行う制御手段と、を備え、前記画像データ生成手段が、前記予約終了時刻が入力される場合であって、当該予約終了時刻と前記設定された予約開始時刻が異なる日に属する場合に、前記予約開始時刻が属する日の表示に連続させて当該予約終了時刻を表示する画像データを生成する構成を有している。
【００１２】
また、請求項７に記載の情報予約制御装置は、予め定められた日時に配信される映像データまたは音声データの少なくとも何れか一方を含むコンテンツ情報の記録予約を制御する情報予約制御装置であって、前記コンテンツ情報が配信される日を示す日情報と当該コンテンツ情報の配信開始時刻を示す開始時刻情報または配信終了時刻を示す終了時刻情報の少なくとも何れか一方を含む日時情報とを入力し、前記日情報および前記日時情報を確定させるための入力手段と、前記日時情報が入力される際に、入力される当該日時情報に対応して当該日時情報を告知するための画像データを生成する画像データ生成手段と、前記確定された日時情報に基づいて、配信される前記コンテンツ情報を記録媒体に記録させる制御手段と、前記記録媒体の記録可能な残量を示す記録残量情報を検出する検出手段と、前記検出された記録残量情報に基づいて前記入力手段における日時情報の入力を制限する制限手段と、を備えた構成を有している。
【００１３】
上記課題を解決するため、請求項９に記載の情報予約制御装置は、予め定められた日時に配信される映像データまたは音声データの少なくとも何れか一方を含むコンテンツ情報の記録または再生の少なくとも何れか一方の予約を制御する情報予約制御方法であって、前記コンテンツ情報が配信される日を示す日情報を入力するために用いられる日時情報入力キーによって当該日情報が入力された場合に、前記日情報を確定させる第１入力処理工程と、前記日情報の確定後に、前記日時情報入力キーによって、前記コンテンツ情報の配信開始時刻を示す開始時刻情報または配信終了時刻を示す終了時刻情報の少なくとも何れか一方を含む日時情報が入力された場合に、当該日時情報を確定される第２入力処理工程と、を含む構成を有している。
【００１４】
また、請求項１０に記載の情報予約制御方法は、予め定められた日時に配信される映像データまたは音声データの少なくとも何れか一方を含むコンテンツ情報の記録または再生の少なくとも何れか一方の予約を制御する情報予約制御方法であって、前記コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、当該入力された日情報および日時情報を確定する入力処理工程と、前記日時情報が入力される際に、入力される当該日時情報に対応して当該日時情報を日毎に告知するための画像データを生成する画像データ生成工程と、前記確定された日時情報に基づいて、配信される前記コンテンツ情報の記録または再生の少なくとも何れか一方の制御を行う制御工程と、を含み、前記画像データ生成工程においては、前記予約終了時刻が入力される場合であって、当該予約終了時刻と前記設定された予約開始時刻が異なる日に属する場合に、前記予約開始時刻が属する日の表示に連続させて当該予約終了時刻を表示する画像データを生成する構成を有している。
【００１５】
また、請求項１１に記載の情報予約制御方法は、予め定められた日時に配信される映像データまたは音声データの少なくとも何れか一方を含むコンテンツ情報の記録予約を制御する情報予約制御方法であって、前記コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、当該入力された日情報および日時情報を確定させる入力処理工程と、前記日時情報が入力される際に、入力される当該日時情報に対応して当該日時情報を告知するための画像データを生成する画像データ生成工程と、前記確定された日時情報に基づいて、配信される前記コンテンツ情報を記録媒体に記録させる制御工程と、前記記録媒体の記録可能な残量を示す記録残量情報を検出する検出工程と、を含み、前記入力処理工程においては、前記検出された記録残量情報に基づいて前記日時情報の入力を制限させる構成を有している。
【００１６】
上記課題を解決するため、請求項１２に記載の情報予約制御プログラムは、コンピュータによって、予め定められた日時に配信される映像データまたは音声データの少なくとも何れか一方を含むコンテンツ情報の記録または再生の少なくとも何れか一方の予約を制御する情報予約制御プログラムであって、前記コンピュータを、前記コンテンツ情報が配信される日を示す日情報を入力するために用いられる日時情報入力キーによって当該日情報が入力された場合に、前記日情報を確定させる第１入力確定手段、前記日情報の確定後に、前記日時情報入力キーによって、前記コンテンツ情報の配信開始時刻を示す開始時刻情報または配信終了時刻を示す終了時刻情報の少なくとも何れか一方を含む日時情報が入力された場合に、当該日時情報を確定させる第２入力確定手段、として機能させる構成を有している。
【００１７】
また、請求項１３に記載の情報予約制御プログラムは、コンピュータによって、予め定められた日時に配信される映像データまたは音声データの少なくとも何れか一方を含むコンテンツ情報の記録または再生の少なくとも何れか一方の予約を制御する情報予約制御プログラムであって、前記コンピュータを、前記コンテンツ情報が配信される日を示す日情報と当該コンテンツ情報の配信開始時刻を示す開始時刻情報または配信終了時刻を示す終了時刻情報を少なくとも何れか一方を含む日時情報とが入力された場合に、当該入力された日情報および日時情報を確定する入力確定手段、前記日時情報が入力される際に、入力される当該日時情報に対応して当該日時情報を日毎に告知するための画像データを生成する画像データ生成手段、前記確定された日時情報に基づいて、配信される前記コンテンツ情報の記録または再生の少なくとも何れか一方の制御を行う制御手段、として機能させるとともに、前記コンピュータを前記画像データ生成手段として機能させる際に、前記予約終了時刻が入力される場合であって、当該予約終了時刻と前記設定された予約開始時刻が異なる日に属する場合に、前記予約開始時刻が属する日の表示に連続させて当該予約終了時刻を表示する画像データを生成させる構成を有している。
【００１８】
また、請求項１４に記載の情報予約制御プログラムは、コンピュータによって、予め定められた日時に配信される映像データまたは音声データの少なくとも何れか一方を含むコンテンツ情報の記録予約を制御する情報予約制御プログラムであって、前記コンピュータを、前記コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、当該入力された日情報および日時情報を確定する入力確定手段、前記日時情報が入力される際に、入力される当該日時情報に対応して当該日時情報を告知するための画像データを生成する画像データ生成手段、前記確定された日時情報に基づいて、配信される前記コンテンツ情報を記録媒体に記録させる制御手段、前記記録媒体の記録可能な残量を示す記録残量情報を検出する検出手段、前記日時情報が入力される際に、前記検出された記録残量情報に基づいて前記日時情報の入力を制限する制限手段、として機能させる構成を有している。
【００１９】
【発明の実施の形態】
以下、本願の実施の形態について、図面を参照しながら説明する。
【００２０】
なお、以下に説明する実施の形態は、ハードディスク（以下、「ＨＤ」という。）およびＤＶＤに放送番組を記録する情報記録再生装置に対して、本願の番組予約装置および情報記録再生装置を適用した場合の実施の形態である。
【００２１】
まず、図１を用いて情報記録再生装置の全体構成および概要動作について説明する。
【００２２】
なお、図１は本願に係る情報記録再生装置の概要構成を示すブロック図である。
【００２３】
本実施形態の情報記録再生装置１００は、図１に示すように、映像データおよび音声データが記録されるＨＤ２００に対して、そのデータの書込みまたは読出しを行うＨＤドライブ２０１と、映像データおよび音声データが記録されるＤＶＤ２０２に対して、そのデータの書込みまたは読出しを行うＤＶＤドライブ２０３と、放送番組などの映像信号および音声信号などの映像データおよび音声データが入力され、ＨＤ２００またはＤＶＤ２０２に当該映像データおよび音声データを記録するデータ記録系１２０と、ＨＤ２００またはＤＶＤ２０２から既に記録されている映像データおよび音声データを読み出し各データの再生を行うデータ再生系１４０と、データ記録系１２０およびデータ再生系１４０を制御するシステム制御系１６０と、から構成される。
【００２４】
ＨＤドライブ２０１には、ＤＶＤドライブ２０３からの出力またはデータ記録系１２０からの出力を切り換える第１ドライブ切換部２０４と、ＡＴＡＰＩ（ＡＴ  Ａｔｔａｃｈｍｅｎｔ  Ｐａｃｋｅｔ  Ｉｎｔｅｒｆａｃｅ）などの規格に準拠したＨＤ用ドライブインターフェース２０５と、が接続されており、この第１ドライブ切換部２０４は、後述するシステム制御部１６６の制御により、入力および出力の切り換えを行うようになっている。
【００２５】
また、このＨＤドライブ２０１は、予めＨＤ２００に記録され、映像データおよび音声データを有するプログラムストリームを当該ＨＤ２００から読み出してＨＤ用ドライブインターフェース２０５を介してデータ再生系１４０に出力するとともに、データ記録系１２０によって生成され、当該ＨＤ用ドライブインターフェース２０５を介して入力されたプログラムストリームをＨＤ２００に記録するようになっている。
【００２６】
ＤＶＤドライブ２０３には、ＨＤドライブ２０１からの出力またはデータ記録系１２０からの出力を切り換える第２ドライブ切換部２０６と、ＡＴＡＰＩ（ＡＴ  Ａｔｔａｃｈｍｅｎｔ  Ｐａｃｋｅｔ  Ｉｎｔｅｒｆａｃｅ）などの規格に準拠したＤＶＤ用ドライブインターフェース２０７と、が接続されており、この第２ドライブ切換部２０６は、第１ドライブ切換部２０４と同様に、後述するシステム制御部１６６の制御により、入力および出力の切り換えを行うようになっている。
【００２７】
また、このＤＶＤドライブ２０３は、ＨＤドライブ２０１と同様に、予めに記録され、映像データおよび音声データを有するプログラムストリームを当該ＤＶＤ２０２から読み出してＤＶＤ用ドライブインターフェース２０７を介してデータ再生系１４０に出力するとともに、データ記録系１２０によって生成され、当該ＤＶＤ用ドライブインターフェース２０７を介して入力されたプログラムストリームをＤＶＤ２０２に記録するようになっている。
【００２８】
次に、本実施形態の情報記録再生装置におけるデータ記録系の具体的構成および動作について説明する。
【００２９】
本実施形態の情報記録再生装置１００におけるデータ記録系１２０は、アンテナＡＴを介して各放送局から送信された放送波を受信するＴＶ受信部１２１と、映像入力端子および音声入力端子を介して外部から入力されたアナログの映像信号および音声信号とＴＶ受信部１２１からの出力を切り換える第１入力切換部１２２および第２入力切換部１２３と、受信または入力されたＴＶ用映像信号をデジタル信号に変換する第１アナログ／デジタル（以下「Ａ／Ｄ」という。）コンバータ１２４と、受信または入力された音声信号をデジタル信号に変換する第２Ａ／Ｄコンバータ１２５と、デジタル信号に変換されたＴＶ用映像信号を映像信号にデコードする映像信号デコーダ１２６と、エンコードする映像信号および音声信号を選択する選択部１２７と、選択部１２７によって選択された映像信号をＭＰＥＧ（Ｍｏｔｉｏｎ  Ｐｉｃｔｕｒｅ  Ｅｘｐｅｒｔ  Ｇｒｏｕｐ）フォーマットに変換する映像エンコーダ１２８と、選択部１２７によって選択された音声信号をＡＣ（Ａｕｄｉｏ  Ｃｏｄｉｎｇ）−３フォーマットに変換する音声エンコーダ１２９と、ＭＰＥＧフォーマットの映像データとＡＣ−３フォーマットの音声データとからプログラムストリームを生成するマルチプレクサ１３０と、から構成される。
【００３０】
ＴＶ受信部１２１は、アンテナＡＴを介して各放送局から送信された放送波、例えば、ＶＨＦまたはＢＳなどのＲＦ信号を受信するようになっており、ユーザの選択した受信帯域に同調して受信した信号波をＩＦ（中間周波数）信号に変換するとともに、ＴＶ用映像信号および音声信号に復調して第１入力切換部１２２に出力するようになっている。
【００３１】
入力切換部には、ＴＶ受信部１２１から出力されたＴＶ用映像信号および音声信号と映像入力端子および音声入力端子を介して外部から入力されたアナログの映像信号および音声信号とが入力されるようになっており、この入力切換部は、システム制御系１６０の制御に基づいて、これらの入力されたＴＶ用映像信号および音声信号を選択的に切り換えて、映像信号を第１Ａ／Ｄコンバータ１２４に、音声信号を第２Ａ／Ｄコンバータ１２５に出力するようになっている。
【００３２】
第１Ａ／Ｄコンバータ１２４には、入力切換部によって選択されたアナログ信号であるＴＶ用映像信号が入力されるようになっており、この第１Ａ／Ｄコンバータ１２４は、入力されたアナログ信号であるＴＶ用映像信号をデジタル信号に変換して映像信号デコーダ１２６に出力するようになっている。
【００３３】
映像信号デコーダ１２６には、デジタル信号に変換されたＴＶ用映像信号が入力されるようになっており、この映像信号デコーダ１２６は、入力されたＴＶ用映像信号を復号化し、通常の映像信号、例えば、ＮＴＳＣ方式の映像信号に変換するようになっている。また、この映像信号デコーダ１２６は、変換した映像信号を選択部１２７に出力するようになっている。
【００３４】
第２Ａ／Ｄコンバータ１２５には、入力切換部によって選択されたアナログ信号である音声信号が入力されるようになっており、第２Ａ／Ｄコンバータ１２５は、入力されたアナログ信号である音声信号をデジタル信号に変換して選択部１２７に出力するようになっている。
【００３５】
選択部１２７は、映像信号デコーダ１２６および第２Ａ／Ｄコンバータ１２５から出力された映像信号および音声信号と、後述するダビングを行う際にＨＤドライブ２０１またはＤＶＤドライブ２０３から出力され、デコードされた映像信号および音声信号と、が入力されるようになっている。この選択部１２７は、システム制御系１６０の制御に基づいて、入力された映像信号および音声信号の何れかを選択し、選択した映像信号を映像エンコーダ１２８に、選択した音声信号を音声エンコーダ１２９に出力するようになっている。
【００３６】
映像エンコーダ１２８には、選択部１２７によって選択された映像信号が入力されるようになっており、この映像エンコーダ１２８は、入力された映像信号をＭＰＥＧフォーマットの映像データに変換し、当該変換した映像データをマルチプレクサ１３０に出力するようになっている。
【００３７】
音声エンコーダ１２９には、選択部１２７によって選択された映像信号が入力されるようになっており、この音声エンコーダ１２９は、入力された音声信号をＡＣ−３フォーマットの音声データに変換し、変換した音声データをマルチプレクサ１３０に出力するようになっている。
【００３８】
マルチプレクサ１３０には、ＭＰＥＧフォーマットに変換された映像データとＡＣ−３フォーマットに変換された音声データとが入力されるようになっており、このマルチプレクサ１３０は、入力された映像データおよび音声データに基づいて、プログラムストリームを生成するとともに、当該生成されたプログラムストリームを第１ドライブ切換部２０４および第２ドライブ切換部２０６に出力するようになっている。
【００３９】
次に、本実施形態の情報記録再生装置におけるデータ再生系の具体的構成および動作について説明する。
【００４０】
本実施形態の情報記録再生装置１００におけるデータ再生系１４０は、ＨＤ２００からの再生出力またはＤＶＤ２０２からの再生出力のいずれかを選択する再生切換部１４１と、各ＨＤドライブ２０１またはＤＶＤドライブ２０３から出力された音声データおよび映像データをプログラムストリームから抽出するデマルチプレクサ１４２と、このデマルチプレクサ１４２によって分離された映像信号及び音声信号をデコードする映像デコーダ１４３および音声デコーダ１４４と、映像デコーダ１４３および音声デコーダ１４４から出力された映像信号および音声信号とＴＶ受信部１２１から出力された映像信号および音声信号とを切り換える出力切換部１４５と、後述するモニタに出力される画像上に重畳されるサムネイル（いわゆる代表画像）を生成するサムネイルＯＳＤ１４６（Ｏｎ  Ｓｃｒｅｅｎ  Ｄｉｓｐｌａｙ）と、ＴＶ信号に変換するＴＶ信号エンコーダ１４７と、デジタル信号である映像信号をアナログ信号に変換する第１デジタル／アナログ（以下、「Ｄ／Ａ」という。）コンバータと、デジタル信号である音声信号をアナログ信号に変換する第２Ｄ／Ａコンバータ１４９と、から構成され、アナログ信号に変換された映像信号および音声信号は、映像出力端子および音声出力端子を介して外部出力されるようになっている。
【００４１】
再生切換部１４１には、ＨＤ２００用ドライブインターフェースを介してＨＤドライブ２０１から出力されたプログラムストリームと、ＤＶＤ２０２用ドライブインターフェースを介してＤＶＤドライブ２０３から出力されたプログラムストリームと、が入力されるようになっており、この再生切換部１４１は、システム制御部１６６の制御に基づいて、何れか一方のドライブから出力されたプログラムストリームを選択し、当該選択したプログラムストリームをデマルチプレクサ１４２に出力するようになっている。
【００４２】
デマルチプレクサ１４２には、再生切換部１４１によって選択されたプログラムストリームが入力されるようになっており、このデマルチプレクサ１４２は、この入力されたプログラムストリームから映像データおよび音声データを分離し、分離した映像データおよび音声データを、それぞれ、映像デコーダ１４３または音声デコーダ１４４に出力するようになっている。
【００４３】
特に、このデマルチプレクサ１４２は、プログラムストリームからＭＰＥＧ形式を有する映像データおよびＡＣ−３形式を有する音声データを分離するようになっている。
【００４４】
映像デコーダ１４３には、プログラムストリームから分離されたＭＰＥＧ形式を有する映像データが入力されるようになっており、この映像デコーダ１４３は、入力されたＭＰＥＧ形式の映像データを復号化して映像信号に変換し、当該復号化されたデジタル信号である映像信号を出力切換部１４５に出力するようになっている。
【００４５】
音声デコーダ１４４には、プログラムストリームから分離されたＡＣ−３形式を有する音声データが入力されるようになっており、この音声デコーダ１４４は、入力されたＡＣ−３形式を有する音声データを復号化して音声信号に変換し、当該復号されたデジタル信号である音声信号を出力切換部１４５に出力するようになっている。
【００４６】
出力切換部１４５には、データ記録系１２０から出力されたデジタル信号である映像信号および音声信号と、映像デコーダ１４３および音声デコーダ１４４によって復号化された映像信号および音声信号と、が入力されるようになっており、この出力切換部１４５は、システム制御部１６６の制御に基づいて、データ記録系１２０から出力された映像信号および音声信号と、復号化された映像信号および音声信号と、を切り換えて、映像信号をＯＳＤ１４６に、および、音声信号を第２Ｄ／Ａコンバータ１４９に、それぞれ、出力するようになっている。
【００４７】
なお、本実施形態では、出力切換部１４５には、映像信号デコーダ１２６から出力された映像信号および第２Ａ／Ｄコンバータ１２５から出力された音声信号が入力されるようになっている。
【００４８】
ＯＳＤ１４６には、出力切換部１４５によって切り換えられた映像信号が入力されるようになっており、このＯＳＤ１４６は、入力された映像信号に対して必要な文字情報等を重畳し、当該文字情報を重畳した映像信号を映像信号エンコーダ１４７に出力するようになっている。
【００４９】
本実施形態では、ＯＳＤ１４６は、後述する番組予約を行う際に、システム制御系１６０の指示に基づいて、具体的には、後述する番組予約情報設定部３００の制御に基づいて番組予約表の映像情報を生成し、当該生成した映像情報を入力された映像信号に重畳または入力された映像信号から切り換えて映像信号エンコーダ１４７に出力するようになっている。
【００５０】
なお、本実施形態におけるＯＳＤ１４６において、上述のように、生成される番組予約表における映像情報の詳細については、後述する。また、本実施形態のＯＳＤは、本発明の画像生成手段を構成する。
【００５１】
映像信号エンコーダ１４７には、文字情報が重畳された映像信号が入力されるようになっており、この映像信号エンコーダ１４７は、この入力された映像信号を外部のモニタなどに表示させるため、ＴＶ用の映像フォーマットに変換し、当該ＴＶ用のフォーマットに変換した映像信号を第２Ｄ／Ａコンバータ１４９に出力するようになっている。
【００５２】
第２Ｄ／Ａコンバータ１４９には、ＴＶ用のフォーマットに変換され、デジタル信号である映像信号が入力されるようになっており、この第２Ｄ／Ａコンバータ１４９は、この入力されたデジタル信号である映像信号をアナログ信号に変換し、当該アナログ信号に変換した映像信号を、映像出力端子を介して外部に出力するようになっている。
【００５３】
第１Ｄ／Ａコンバータ１４８には、出力切換部１４５によって切り換えられたデジタル信号である音声信号が入力されるようになっており、この第１Ｄ／Ａコンバータ１４８は、入力されたデジタル信号である音声信号をアナログ信号に変換し、当該アナログ信号に変換した音声信号を、音声出力端子を介して外部に出力するようになっている。
【００５４】
次に、図２を用いて本実施形態の情報記録再生装置におけるシステム制御系の具体的構成および動作について説明する。
【００５５】
なお、図２は、本実施形態におけるリモコン装置のキー構成の一部を示す構成図の一例である。
【００５６】
本実施形態の情報記録再生装置１００におけるシステム制御系１６０は、当該情報記録再生装置１００を遠隔操作するリモコン装置１６１から出射された光ビームを受光するリモコン受光部１６２と、ユーザが操作設定を行う操作部１６３と、リモコン装置１６１または操作部１６３による操作の確認等のユーザが所望する情報を表示する表示部１６４と、番組予約を行う際にリモコン装置１６１または操作部１６３に入力されたキー入力の情報（以下、「キー入力情報」という。）に基づいて番組予約に必要な情報（以下、「番組予約情報」という。）を設定するとともに、図示しないモニタに表示させるためＯＳＤ１４６を制御して番組予約情報の映像情報を生成させる番組予約情報設定部３００と、各種動作に必要となるプログラムなどを記録するメモリ１６５と、システム全体を制御するシステム制御部１６６と、により構成されている。
【００５７】
このリモコン装置１６１は、図２に示すように、各種確認ボタン（及び数字キー等の多数のキーと、例えば、当該リモコン装置１６１の中央に設けられた上下および左右のカーソルキーと、から構成されている。特に、上下および左右のカーソルキー（以下、単に、「上下キー」、「左右キー」という。）は、後述する番組予約における予約開始時刻の設定および予約終了時刻の設定を行う際に用いられるようになっている。
【００５８】
また、このリモコン装置１６１において、上下キー１６１ａと左右キー１６１ｂは、それぞれ、何れか一方のキーが時刻を順に送る順送りによって時刻を入力するために用いられるようになっており、その他のキーが時刻を逆に送る逆送りによって時刻を入力するために用いられるようになっている。
【００５９】
さらに、上下キー１６１ａが一度押し下げられると、当該上下キー１６１ａは、予約記録する日を変化させるとともに、予約開始時刻確定後には、１分刻みによって、かつ、順送りまたは逆送りよって予約開始時刻または予約終了時刻を変化させるようになっている。
【００６０】
一方、左右キー１６１ｂが一度押し下げられると、当該左右キー１６１ｂは、１５分刻みによって、かつ、順送りまたは逆送りよって予約開始時刻または予約終了時刻を変化させるようになっている。
【００６１】
なお、予約開始時刻設定中に、確認ボタン（以下、「確認キー」という）１６１ｃが押し下げられると、予約開始時刻を確定するようになっており、予約終了時刻設定中に、確認キー１６１ｃが押し下げられると、予約終了時刻を確定するようになっている。
【００６２】
また、例えば、本実施形態のリモコン装置１６１は、本発明に係る入力手段を構成し、上下キー１６１ａは、本発明の日時情報入力キーを構成する。さらに、例えば、本実施形態のリモコン装置１６１における左右キー１６１ｂは、本発明の時刻情報入力キーを構成し、確認キー１６１ｃは、本発明の確定キーを構成する。
【００６３】
リモコン受光部１６２は、リモコン装置１６１から出射された光ビーム、例えば、赤外線光を受光するようになっており、このリモコン受光部１６２、受光した光ビームを所定の信号に変換して操作部１６３に出力するようになっている。
【００６４】
操作部１６３は、リモコン装置１６１と同様に、各種確認ボタン及び数字キー等の多数のキーと、上下キーおよび左右キーと、から構成され、特に、この上下キーおよび左右キーは、後述する番組予約における予約開始時刻の設定および予約終了時刻の設定を行う際に用いるようになっている。
【００６５】
また、この操作部１６３は、キー操作にしたがって、または、リモコン受光部１６２から出力された所定の信号をシステム制御部１６６に出力するようになっている。
【００６６】
なお、この操作部１６３の上下キーおよび左右キーは、図２に示すようなリモコン装置１６１の上下キー１６１ａ及び左右キー１６１ｂと同様の構成を有している。
【００６７】
また、例えば、本実施形態の操作部１６３は、本発明に係る入力手段を構成し、上下キーは、本発明の日時情報入力キーを構成する。さらに、例えば、本実施形態の操作部における左右キーは、本発明の時刻情報入力キーを構成し、確認キーは、本発明の確定キーを構成する。
【００６８】
表示部１６４は、液晶などの複数の発光素子を備える発光部を有し、リモコン装置１６１または操作部１６３による操作の確認等のユーザが所望する情報を表示するようになっている。
【００６９】
番組予約情報設定部３００は、ＨＤ２００またはＤＶＤ２０２に予め設定した時間に放送番組を自動的に記録するための設定（以下、「番組予約」という。）を行う際に、リモコン装置１６１または操作部１６３に入力されたキー入力情報に基づいて番組予約に必要な番組予約情報を設定するとともに、ＯＳＤ１４６に当該生成した予約番組表の映像情報を生成させ、当該生成させた予約番組表に番組予約情報を重畳させて映像信号エンコーダ１４７およびＤ／Ａコンバータを介して外部に出力させるようになっている。
【００７０】
なお、本実施形態における番組予約情報設定部３００の具体的構成および動作、並びに、ＯＳＤ１４６において生成される番組予約表における映像情報の詳細については、後述する。また、本実施形態の番組予約情報設定部３００は、本発明の制御手段、画像データ生成手段、検出手段、制限手段、第１入力確定手段、第２入力確定手段および入力確定手段を構成する。
【００７１】
システム制御部１６６は、主に中央演算処理装置（ＣＰＵ）によって構成されるとともに、キー入力ポート、表示部１６４出力ポート等の各種入出力ポートを含み、ＨＤ２００の再生および記録、またはＤＶＤ２０２の再生および記録の各処理のための全般的な機能を総括的に制御するようになっている。
【００７２】
特に、本実施形態のシステム制御部１６６は、リモコン装置１６１または操作部１６３における操作キーの入力に基づいて、番組予約情報設定部３００に番組予約情報を設定させるとともに、ＯＳＤ１４６によって生成された番組予約表の映像情報を、映像信号エンコーダ１４７および第１Ｄ／Ａコンバータ１４８を介して外部に出力させるようになっている。
【００７３】
また、このシステム制御部１６６は、番組予約の動作が開始された場合を検出して番組予約情報設定部３００およびＯＳＤ１４６の各部に指示を促すとともに、リモコン装置１６１または操作部１６３の操作に基づいて、番組予約により記録する記録メディア、すなわち、ＨＤ２００であるかＤＶＤ２０２の記録残量またはＤＶＤ２０２の格納状況を検出するようになっている。
【００７４】
なお、システム制御部１６６は、番組予約を行う際に、または、予約された放送番組をＨＤ２００またはＤＶＤ２０２に記録する際に、メモリ１６５に格納される制御プログラムを読み出して各処理を実行し、当該メモリ１６５に処理中のデータを一時的に保持するようになっている。
【００７５】
次に、図３および図４を用いて情報記録再生装置の番組予約情報設定部における構成および動作について説明する。
【００７６】
なお、図３は本実施形態の情報再生装置における番組予約情報設定部の構成を示すブロック図であり、図４は、ＯＳＤ１４６が生成する番組予約表の映像情報の一例である。
【００７７】
本実施形態の番組予約情報設定部３００は、上述のように、放送番組の番組予約を行う際に、リモコン装置１６１または操作部１６３に入力されたキー入力情報に基づいて番組予約に必要な番組予約情報を設定するとともに、当該設定された番組予約情報または当該設定時に設定に必要な情報をＯＳＤ１４６に生成させ、外部に接続されたモニタなどに表示させるようになっている。
【００７８】
具体的には、この番組予約情報設定部は、図３に示すように、現在の時刻を計測する時間計測部３０１と、リモコン装置１６１または操作部１６３における上下および左右のカーソルキーと確定キーのキー入力を検出するキー検出部３０２と、時間計測部３０１における現在時刻、キー検出部３０２におけるキー検出の結果およびＨＤ２００またはＤＶＤ２０２の記録残量に基づいて番組予約情報を設定するとともに、後述する番組予約表などの設定された番組予約情報を有する映像情報をＯＳＤ１４６に生成させる番組予約設定部３０３と、ＨＤ２００またはＤＶＤ２０２の記録残量を検出する記録残量検出部３０４と、を備えている。
【００７９】
なお、本実施形態の番組予約設定部３０３は本発明の制御手段、画像データ生成手段および制限手段を構成し、記録残量検出部３０４は、本発明の検出手段を構成する。
【００８０】
時間計測部３０１は、現在の日付および時刻を示す時計を有し、番組予約を行う際の現在の日付および時刻を示す日時情報を番組予約設定部３０３に出力するようになっている。
【００８１】
具体的には、時間計測部３０１は、リモコン装置１６１または操作部１６３によって、番組予約の動作を開始する旨の入力が行われた場合に、当該番組予約の動作の開始時の日時情報を番組予約設定部３０３に出力するようになっている。
【００８２】
キー検出部３０２は、リモコン装置１６１または操作部１６３における上下および左右のカーソルキーと確定キーのキー入力および番組予約を行う際の放送番組を記録する記録メディアを特定するための選択キーのキー入力を、システム制御部１６６を介して検出するようになっており、この検出されたカーソルキー、確定キーおよび選択キーのキー入力を、キー入力情報として番組予約設定部３０３に出力するようになっている。
【００８３】
記録残量検出部３０４は、番組予約の動作が開始された場合に、番組予約設定部３０３の指示に基づいて、ＨＤ２００またはＤＶＤ２０２の何れか一方または双方の記録残量における残量時間を、システム制御部１６６を介して検出するようになっており、ＨＤ２００またはＤＶＤ２０２の記録残量の残量時間を示す残量時間情報を番組予約表生成部に出力するようになっている。
【００８４】
番組予約設定部３０３には、日時情報、キー入力情報、残量時間情報が入力されるようになっており、この番組予約生成部は、番組予約の予約動作が開始された場合に、入力された各情報に基づいて番組予約情報の設定を行うとともに、当該番組予約情報を設定するための映像情報をＯＳＤ１４６に生成させるようになっている。
【００８５】
具体的には、この番組予約設定部３０３は、図４に示すように、番組予約が実行されると、ＯＳＤ１４６に、番組予約を行う日と当該番組予約を行う日以降一定の期間の日付を縦軸にとり、かつ、横軸に１日２４時間の各時刻をとる番組予約表を生成させるとともに、生成した番組予約表にキー入力情報やその他の情報に基づいて設定された放送番組を記録する開始時刻と終了時刻を含む時間帯、記録メディアの種別および放送局のチャンネルなど所定の番組予約を行う番組予約情報を重畳させた映像情報を生成させるようになっている。
【００８６】
また、この番組予約設定部３０３は、当該番組予約を行っている際に、すなわち、番組予約情報の設定中に、予約開始時刻、予約終了時刻およびこれを設定するためのカーソルキーの情報（以下、「カーソルキー情報」という。）などのキー入力情報を番組予約表に重畳させた映像情報をＯＳＤ１４６にリアルタイムで生成させるようになっている。
【００８７】
例えば、番組予約設定部３０３は、図４に示すように、外部に接続されたモニタなどの表示画面に各種の情報を表示させるために、ＯＳＤ１４６によって当該表示させるための映像情報を生成させるようになっている。具体的には、番組予約を実行する日が６月１２日の場合には、縦軸に６月１２日から６月１４日までの日付をとるとともに、既に過ぎた時間を現在または未来の時間と表示色を変更した映像情報をＯＳＤ１４６に生成させるようになっている。また、この番組予約設定部３０３は、予約開始時刻から予約開始時刻まで矢印の表示をさせ、設定中の場合には、カーソルのある時刻を点滅させるようになっている。さらに、この番組予約設定部３０３は、放送番組が提供されるチャンネル、録画時の画像設定を決定するための録画モードおよび選択された記録メディアの情報を表示させるようになっている。
【００８８】
なお、番組予約情報の設定中に、番組予約設定部３０３がキー入力情報を有する番組予約情報の映像情報をＯＳＤ１４６に生成させる生成処理の詳細については、後述する。
【００８９】
また、本実施形態では、番組予約設定部３０３によってＯＳＤ１４６に番組予約表を生成させると、当該番組予約情報にキー入力情報を重畳した映像情報が映像出力端子から外部に出力されるようになっており、外部に接続されたモニタなどに当該各種のキー入力情報を表示させることができるので、ユーザに的確に、かつ、容易に番組予約情報を設定させることができるようになっている。
【００９０】
次に、図５〜図１０を用いて、番組予約設定部がＯＳＤに生成させるキー入力情報を番組予約表に重畳させた映像情報の生成させる際の当該映像情報の生成処理について説明する。
【００９１】
なお、図５〜図１０は、番組予約設定部３０３における番組予約情報表の映像情報の生成処理を説明するための図である。
【００９２】
本実施形態では、番組予約設定部３０３は、番組予約情報の設定中に、リモコン装置１６１または操作部１６３の操作キーに連動してＯＳＤ１４６によってキー入力情報が重畳された番組予約表の映像情報を生成させ、外部に接続されたモニタなどの表示装置に当該番組予約情報を表示させるようになっている。
【００９３】
具体的には、本実施形態では、番組予約設定部３０３は、キー検出部３０２によって操作部１６３またはリモコン装置１６１の上下キー１６１ａ、左右キー１６１ｂ、確認キー１６１ｃおよび選択キーが検出されると、そのキー入力情報に基づいて予約開始時刻、予約終了時刻、映像の記録品質を示す記録（転送）レート、放送番組を記録する記録メディアおよび放送される放送局のチャンネルが設定され、当該キー入力情報および番組予約情報が重畳された番組予約表の映像情報をＯＳＤ１４６に生成させるようになっている。
【００９４】
特に、番組予約情報の設定中であって、番組予約を行う日と当該番組予約を行う日以降の２日間の日付を縦軸にとる番組予約表の映像情報を生成させる場合には、番組予約設定部３０３は、上下キー１６１ａ、左右キー１６１ｂおよび確認キー１６１ｃなどのキー入力情報に基づいて予約開始時刻および予約終了時刻を示すカーソルの情報（以下、「カーソル情報」という。）における映像情報を、ＯＳＤ１４６にリアルタイムで生成させるようになっている。
【００９５】
具体的には、番組予約設定部３０３が予約開始時刻を設定する場合には、番組予約設定部３０３は、上下キー１６１ａのキー入力情報が検出されると、日付を変更するとともに、左右キー１６１ｂのキー入力情報が検出されると、１５分ステップ毎にカーソルキーのある日付における時刻を変更させるとともに、予約開始時刻の設定後、すなわち、予約開始時刻を決定する旨の確認キー１６１ｃが押し下げされた後に、上下キー１６１ａのキー入力が検出されると、１分ステップ毎に予約開始時刻の微調整または予約終了時刻の変更を行うようになっており、当該カーソル情報を含む映像情報をＯＳＤ１４６に生成させるようになっている。
【００９６】
例えば、図５に示すように、カーソルがＡ０にある場合に、左右キー１６１ｂが一度押し下げされると、カーソルはＡ１またはＡ２に１５分の間隔で時刻を変更し、上下キー１６１ａが一度押し下げされると、カーソルはＡ３またはＡ４に日付を変更するようになっており、番組予約設定部３０３は、当該カーソル情報を含む映像情報をＯＳＤ１４６に生成させるようになっている。
【００９７】
また、同様にして予約開始時刻が設定され、その後に番組予約設定部３０３が予約終了時刻を設定する場合には、すなわち、既に設定された予約開始時刻を基準として、左右キー１６１ｂのキー入力情報が検出されると、当該カーソルは、１５分ステップ毎に時刻を変更するとともに、上下キー１６１ａのキー入力情報が検出されると、１分ステップ毎に予約時刻を変更するようになっており、番組予約設定部３０３は、上述と同様に、当該カーソル情報を含む映像情報をＯＳＤ１４６に生成させるようになっている。
【００９８】
この場合に、この番組予約設定部３０３は、上下キー１６１ａが一度押し下げされると、予約開始時刻または予約終了時刻を１分ごとに変更するようになっているが、当該上下キー１６１ａが押し下げられる際に、この番組予約設定部３０３は、カーソル位置が予約開始時刻であるか否かを判断するようになっており、このカーソル位置を判断することによって、予約開始時刻を微調整するために、または、予約終了時刻を微調整するために、１分毎に当該予約開始時刻または予約終了時刻を変更するようになっている。
【００９９】
例えば、図６に示すように、予約開始時刻がＢ０に設定され、番組予約設定部３０３が当該予約開始時刻Ｂ０にカーソルがあると判断した場合には、当該番組予約設定部３０３は、上下キー１６１ａが一度押し下げされると、カーソルはＢ１またはＢ２に１分毎に予約開始時刻を微調整するようになっている。
【０１００】
また、予約開始時刻がＣ０に設定され、番組予約設定部３０３が当該予約開始時刻Ｃ０にカーソルがあると判断した場合には、当該番組予約設定部３０３は、左右キー１６１ｂが順送り方向に二度押し下げされると、図７に示すように、カーソルはＣ１に予約終了時刻を変更するとともに、カーソルがＣ１にあるときに、上下キー１６１ａが一度押し下げされると、カーソルはＣ２またはＣ３に１分毎に予約終了時刻を微調整するようになっている。
【０１０１】
また、本実施形態では、番組予約設定部３０３は、予約開始時刻を設定する場合に、ある日付の最終時刻にカーソルを左右キー１６１ｂのキー入力情報により、次の日付の最初の時刻Ｄ１に左右キー１６１ｂにてカーソル位置を変更するようになっている。すなわち、番組予約設定部３０３は、日付を跨いでカーソル位置を変更させる場合には、左右キー１６１ｂのキー入力情報により当該カーソル位置を変更させることができるようになっている。
【０１０２】
例えば、番組予約設定部３０３は、図８に示すように、ある日付の最終時刻Ｄ０にカーソルが有る場合に、操作部１６３またはリモコン装置１６１によって左右キー１６１ｂが順送り方向に押し下げられると、当該最終時刻Ｄ０の日の次の日の最初の時刻Ｄ１にカーソル位置を変更するようになっており、当該カーソル情報を含む映像情報をＯＳＤ１４６に生成させるようになっている。
【０１０３】
さらに、本実施形態では、番組予約設定部３０３は、予約終了時刻が予約開始時刻の日付と異なる場合には、すなわち、番組予約が日付を跨いで設定される場合には、予約終了時刻を予約開始時刻と同日に表示するよう映像情報をＯＳＤ１４６に生成させるようになっている。
【０１０４】
例えば、番組予約設定部３０３は、図９に示すように、予約開始時刻がＥ０に設定された場合に、予約終了時刻が次の日になる場合には、その予約終了時刻Ｅ１であっても、予約開始時刻と同日に当該予約終了時刻を表示するよう映像情報をＯＳＤ１４６に生成させるようになっている。
【０１０５】
さらにまた、本実施形態では、番組予約設定部３０３は、上述のように、番組予約情報の設定中に、記録残量検出部３０４によって検出されたＨＤ２００またはＤＶＤ２０２の記録残量に基づいて、カーソルの位置を制御するようになっており、このカーソル位置の制御をＯＳＤ１４６にて生成される映像情報に連動させるようになっている。
【０１０６】
例えば、ＨＤ２００またはＤＶＤ２０２の記録残量が予約開始時刻Ｆ０に対してＦ１までの記録量しかない場合であって、番組予約設定部３０３に予約終了時刻を設定するために左右キー１６１ｂまたは上下キー１６１ａによるキー入力情報が入力された場合には、番組予約設定部３０３は、図１０に示すように、Ｆ１を基準としてそのＦ１からＦ３方向にカーソルキーを移動させないよう映像情報をＯＳＤ１４６に生成させるようになっている。
【０１０７】
次に、図１１を用いて本実施形態における番組予約設定の処理動作について説明する。
【０１０８】
なお、図１１は、本実施形態における番組予約設定の処理動作を示すフローチャートである。
【０１０９】
また、番組予約された放送番組を記録する記録メディアの種別および当該放送番組が提供されるチャンネルは、予め設定されているものとし、当該記録メディアの種別を示す情報、記録映像の品質の設定情報、およびチャンネルの情報は、キー検出部３０２を介して番組予約設定部３０３の内部に格納されているものとする。
【０１１０】
まず、キー検出部３０２が、リモコン装置１６１または操作部１６３によって番組予約を設定する旨の操作キーが入力されたことを検出し、その旨を番組予約設定部３０３に通知すると、当該番組予約設定部３０３は、番組予約情報を設定する準備およびＯＳＤ１４６に操作キーに連動してキー入力情報が重畳された番組予約表の映像情報の生成させる準備を開始する（ステップＳ１１）。
【０１１１】
具体的には、記録残量検出部３０４は、予め設定されている放送番組を記録する記録メディアの記録残量を検出し、当該検出結果を番組予約設定部３０３に出力するとともに、時刻計測部は、現在の時刻を計測し、当該現在の時刻を示す時刻情報を番組予約設定部３０３に出力する。また、番組予約設定部３０３は、この入力された時刻情報および記録メディア情報に基づいて、上述のような番組予約表を生成し、当該番組予約表の映像情報をＯＳＤ１４６に生成させる。
【０１１２】
次いで、キー検出部３０２は、一定時間間隔毎に、ユーザのキー入力が為されたか否かを判断し（ステップＳ１２）、ユーザのキー入力が為されたと判断した場合には、そのキー入力が予約開始時刻の決定を示す確認キー１６１ｃの入力であるか否かを判断する（ステップＳ１３）。
【０１１３】
このとき、キー検出部３０２が、入力されたキー入力が予約開始時刻の決定を示す確認キー１６１ｃの入力であると判断した場合には、その旨を番組予約設定部３０３に通知するとともに、番組予約設定部３０３は、カーソルが存在する時刻を予約開始時刻としてメモリ１６５に格納し、当該予約開始時刻が設定された映像情報をＯＳＤ１４６に生成させ、ステップＳ１９に処理を移行させる（ステップＳ１４）。
【０１１４】
一方、キー検出部３０２が、入力されたキー入力が予約開始時刻の決定を示す確認キー１６１ｃの入力でないと判断した場合には、当該キー検出部３０２は、当該入力されたキー入力が上下キー１６１ａの入力であるか否かを判断する（ステップＳ１５）。
【０１１５】
このとき、キー検出部３０２が、入力されたキー入力が上下キー１６１ａの入力であると判断した場合には、キー検出部３０２はその旨を番組予約設定部３０３に通知するとともに、当該通知された番組予約設定部３０３は、ＯＳＤ１４６に前日または翌日の日付にカーソルが移動した映像情報を生成させ、ステップＳ１２の処理に移行させる（ステップＳ１６）。
【０１１６】
一方、キー検出部３０２が、入力されたキー入力が上下キー１６１ａの入力でないと判断した場合には、当該キー検出部３０２は、当該入力されたキー入力が左右キー１６１ｂの入力であるか否かを判断し、当該キー検出部３０２が、入力されたキー入力が左右キー１６１ｂの入力でないと判断した場合には、当該キー検出部３０２は、ステップＳ１２処理を移行させる（ステップＳ１７）。
【０１１７】
一方、キー検出部３０２が、入力されたキー入力が左右キー１６１ｂの入力であると判断した場合には、キー検出部３０２はその旨を番組予約設定部３０３に通知するとともに、当該通知された番組予約設定部３０３は、ＯＳＤ１４６に１５分刻みでカーソルを移動させる当該映像情報を生成させ、ステップＳ１２に処理を移行させる（ステップＳ１８）。
【０１１８】
次いで、キー検出部３０２は、一定時間間隔毎に、ユーザのキー入力が為されたか否かを判断し（ステップＳ１９）、ユーザのキー入力が為されたと判断した場合には、そのキー入力が予約終了時刻を決定するための確認キー１６１ｃの入力であるか否かを判断する（ステップＳ２０）。
【０１１９】
このとき、キー検出部３０２が、入力されたキー入力が予約終了時刻を決定するための確認キー１６１ｃの入力であると判断した場合には、当該キー検出部３０２は、その旨を番組予約設定部３０３に通知するとともに、通知を受けた番組予約設定部３０３は、カーソルが存在する時刻を予約終了時刻としてメモリ１６５に格納し、当該予約終了時刻が設定された映像情報をＯＳＤ１４６に生成させ、ステップＳ２８に処理を移行させる（ステップＳ２１）。
【０１２０】
一方、キー検出部３０２が、入力されたキー入力が予約終了時刻の決定するための確認キー１６１ｃの入力でないと判断した場合には、当該キー検出部３０２は、当該入力されたキー入力が上下キー１６１ａの入力であるか否かを判断する（ステップＳ２２）。
【０１２１】
このとき、キー検出部３０２が、入力されたキー入力が上下キー１６１ａの入力でないと判断した場合には、キー検出部３０２は、ステップＳ２６の処理に移行させる。
【０１２２】
一方、キー検出部３０２が、入力されたキー入力が上下キー１６１ａの入力であると判断した場合には、当該キー検出部３０２はその旨を番組予約設定部３０３に通知するとともに、当該通知された番組予約設定部３０３は、当該カーソルが示す時刻が予約開始時刻であるか否かを判断する（ステップＳ２３）。
【０１２３】
このとき、番組予約設定部３０３が、当該カーソルが示す時刻が予約開始時刻であると判断すると、予約開始時刻にあるカーソルを１分刻みで移動させて、カーソルが存在する時刻を予約開始時刻としてメモリ１６５に格納させるとともに、当該映像情報をＯＳＤ１４６に生成させ、ステップＳ１９に処理を移行させる（ステップＳ２４）。
【０１２４】
一方、番組予約設定部３０３が、当該カーソルが示す時刻が予約開始時刻でないと判断すると、予約終了時刻を設定するためにカーソルを１分刻みで移動させる当該映像情報をＯＳＤ１４６に生成させるとともに、ステップＳ１９に処理を移行させる（ステップＳ２５）。
【０１２５】
なお、本実施形態において、当該ステップＳ２５の処理を示す予約終了時刻設定処理（以下、「第１予約終了時刻設定処理」という。）の詳細については、後述する。
【０１２６】
次いで、キー検出部３０２が、入力されたキー入力が上下キー１６１ａの入力でないと判断した場合には、当該キー検出部３０２は、当該入力されたキー入力が左右キー１６１ｂの入力であるか否かを判断し（ステップＳ２６）、キー検出部３０２が入力されたキー入力が左右キー１６１ｂの入力でないと判断した場合には、キー検出部３０２は、ステップＳ１９に処理を移行させる。
【０１２７】
一方、キー検出部３０２が入力されたキー入力が左右キー１６１ｂの入力であると判断した場合には、キー検出部３０２はその旨を番組予約設定部３０３に通知するとともに、当該通知された番組予約設定部３０３は、ＯＳＤ１４６に１５分刻みでカーソルを移動させる当該映像情報を生成させ、ステップＳ１９に処理を移行させる（ステップＳ２７）。
【０１２８】
なお、このカーソル移動では、予約開始時刻を遡らない範囲で行うことができるようになっている。
【０１２９】
また、本実施形態において、当該ステップＳ２７の処理を示す予約終了時刻設定処理（以下、「第２予約終了時刻設定処理」という。）の詳細については、後述する。
【０１３０】
最後に、番組予約設定部３０３は、設定された予約開始時刻および予約終了時刻に基づいて予め設定されたチャンネルによって提供される放送番組の記録を予め設定された記録メディアに行う（ステップＳ２８）。
【０１３１】
なお、このとき、番組予約設定部３０３は、システム制御部１６６を介してデータ記録系１２０を制御し、当該設定された放送番組の記録を行う。
【０１３２】
このように本実施形態では、番組予約設定部３０３によって予約開始時刻および予約終了時刻を設定することができるようになっており、予約開始時刻および予約終了時刻を設定する際に、予約を容易にかつ確実に行うことができるようになっている。
【０１３３】
なお、本実施形態では、記録メディアに記録された放送番組を再生する際には、上述のように、ユーザが操作部１６３を操作すると、システム制御部１６６を介してデータ再生系１４０が制御され、当該記録された放送番組が再生させるようになっている。
【０１３４】
次に、図１２を用いて本実施形態におけるステップＳ２５の第１予約終了時刻設定処理の動作について説明する。
【０１３５】
なお、図１２は、本実施形態における第１予約終了時刻設定処理の動作を示すフローチャートである。
【０１３６】
まず、キー検出部３０２によって上下キー１６１ａのキー入力が検出されると、番組予約設定部３０３は、当該上下キー１６１ａのキー入力が現在のカーソルが示す時刻から時間が増加したか否かを判断する（ステップＳ３１）。
【０１３７】
具体的には、番組予約設定部３０３は、上下キー１６１ａの何れか一方のキーであって時刻が増加するキー、例えば上を示すキー（以下、上キーという。）が押し下げられたか否かをキー検出部３０２の検出結果に基づいて判断する。
【０１３８】
このとき、番組予約設定部３０３が現在のカーソルが示す時刻から時間が増加していないと判断した場合には、当該番組予約設定部３０３は、現在のカーソルが示す時刻を１分前の時刻に設定し（ステップＳ３２）、本動作を終了させる。
【０１３９】
一方、番組予約設定部３０３が現在のカーソルが示す時刻から時間が増加していると判断した場合には、当該番組予約設定部３０３は、予約開始時刻から現在のカーソルが示す時刻までの時間に１分を加算した時間が予め検出された記録メディアの記録残量を越える否かを判断し、番組予約設定部３０３が予約開始時刻から現在のカーソルが示す時刻にまでの時間に１分を加算した時間が予め検出された記録メディアの記録残量を越えると判断した場合には、当該番組予約設定部３０３は、カーソルが示す時刻に１分を加算せず、本動作を終了させる（ステップＳ３３）。
【０１４０】
一方、番組予約設定部３０３が、予約開始時刻から現在のカーソルが示す時刻までの時間に１分を加算した時間が予め検出された記録メディアの記録残量を越えないと判断した場合には、当該番組予約設定部３０３は、カーソルが示す時刻が翌日となるか、すなわち、予約開始時刻の翌日の午前０時を越えるか否かを判断し、番組予約設定部３０３が、カーソルが示す時刻が予約開始時刻の翌日の午前０時を越えないと判断した場合には、当該番組予約設定部３０３は直接ステップＳ３６の処理に移行する（ステップＳ３４）。
【０１４１】
一方、番組予約設定部３０３が、カーソルが示す時刻が予約開始時刻の翌日の午前０時を越えると判断した場合には、カーソルが示す翌日の午前０時以降の時刻を予約開始時刻と同日の番組予約表に表示する映像情報を生成させる（ステップＳ３５）。
【０１４２】
次いで、番組予約設定部３０３は、カーソルが示す時刻を１分加算して、当該映像情報をＯＳＤ１４６に生成させ、本動作を終了させる（ステップＳ３６）。
【０１４３】
次に、図１３を用いて本実施形態におけるステップＳの第２予約終了時刻設定処理の動作について説明する。
【０１４４】
なお、図１３は、本実施形態における第２予約終了時刻設定処理の動作を示すフローチャートである。
【０１４５】
まず、キー検出部３０２によって左右キー１６１ｂのキー入力が検出されると、番組予約設定部３０３は、当該左右キー１６１ｂのキー入力が現在のカーソルが示す時刻から時間が増加するか否かを判断する（ステップＳ４１）。
【０１４６】
番組予約設定部３０３が現在のカーソルが示す時刻から時間が増加しないと判断した場合には、番組予約設定部３０３は、現在のカーソルが示す時刻が予約開始時刻の１５分以内か否かを判断する（ステップ４２）。
【０１４７】
このとき、番組予約設定部３０３が、現在のカーソルが示す時刻が予約開始時刻の１５分以内でないと判断した場合には、当該番組予約設定部３０３は、現在のカーソルが示す時刻の１５分前の時刻にカーソルの時刻を変更させ、当該映像情報をＯＳＤ１４６に生成させ、本動作を終了させる（ステップ４３）。
【０１４８】
一方、番組予約設定部３０３が、現在のカーソルが示す時刻が予約開始時刻の１５分以内であると判断した場合には、当該番組予約設定部３０３は、予約開始時刻にカーソルの時刻を変更させるとともに、当該映像情報をＯＳＤ１４６に生成させ、本動作を終了させる（ステップ４４）。
【０１４９】
一方、番組予約設定部３０３が現在のカーソルが示す時刻から時間が増加すると判断した場合には、当該番組予約設定部３０３は、予約開始時刻から現在のカーソルが示す時刻までの時間に１５分を加算した時間が予め検出された記録メディアの記録残量を越える否かを判断し、番組予約設定部３０３が予約開始時刻から現在のカーソルが示す時刻にまでの時間に１５分を加算した時間が予め検出された記録メディアの記録残量を越えると判断した場合には、当該番組予約設定部３０３は、カーソルが示す時刻を１５分を加算せず、本動作を終了させる（ステップ４５）。
【０１５０】
一方、番組予約設定部３０３が、予約開始時刻から現在のカーソルが示す時刻までの時間に１５分を加算した時間が予め検出された記録メディアの記録残量を越えないと判断した場合には、当該番組予約設定部３０３は、カーソルが示す時刻が翌日となるか、すなわち、予約開始時刻の翌日の午前０時を越えるか否かを判断し、番組予約設定部３０３が、カーソルが示す時刻が予約開始時刻の翌日の午前０時を越えないと判断した場合には、当該番組予約設定部３０３は、ステップＳ４８の処理に移行させる（ステップ４６）。
【０１５１】
一方、番組予約設定部３０３が、カーソルが示す時刻が予約開始時刻の翌日の午前０時を越えると判断した場合には、カーソルが示す翌日の午前０時以降の時刻を予約開始時刻と同日の番組予約表に表示する映像情報を生成させる（ステップＳ４７）。
【０１５２】
最後に、番組予約設定部３０３は、カーソルが示す時刻を１５分加算するとともに、ＯＳＤ１４６に、翌日の午前０時以降の時刻を予約開始時刻と同日の予約表に表示する映像情報を生成させ、本動作を終了させる（ステップ４８）。
【０１５３】
以上本実施形態よれば、コンテンツ情報が配信される日を示す日情報と当該コンテンツ情報の配信開始時刻を示す開始時刻情報または配信終了時刻を示す終了時刻情報の少なくとも何れか一方を含む日時情報とを入力し、日情報および日時情報を確定させるための操作部１６３と、操作部１６３に設けられ、少なくとも入力された日情報を確定するために用いられる確認キー１６１ｃと、操作部１６３に設けられ、日情報を入力するために用いられるとともに、当該日情報の確定後に開始時刻情報または終了時刻情報の少なくとも何れか一方を入力するために用いられる少なくとも一の上下キー１６１ａと、を備えた構成を有している。
【０１５４】
この構成により、本実施形態では、日時情報を入力する際に、日情報を確定するとともに、上下キー１６１ａによって、日情報を入力することができるとともに、当該日情報の確定後に開始時刻情報または終了時刻情報の少なくとも何れか一方を入力することができる。
【０１５５】
したがって、一のキーによって、日情報と時刻情報とを入力することができるので、簡易な方法により入力手段を構成することができるとともに、簡単にかつ的確に日時情報を入力することができるので、ユーザの操作性および利便性の優れた装置を提供することができる。
【０１５６】
また、本実施形態によれば、更に操作部１６３に設けられ、開始時刻情報または終了時刻情報の少なくとも何れか一方を入力するために用いられる左右キー１６１ｂを備え、左右キー１６１ｂが、上下キー１６１ａと異なる時間間隔によって時刻を変化させて開始時刻情報または終了時刻情報の少なくとも一方を入力するために用いられる構成を有している。
【０１５７】
この構成により、本実施形態では、上下キー１６１ａと異なる時間間隔によって時刻を変化させて開始時刻情報または終了時刻情報を設定することができるので、簡易な方法により入力手段を構成することができるとともに、簡単にかつ的確に日時情報を入力することができるので、ユーザの操作性および利便性の優れた装置を提供することができる。
【０１５８】
また、本実施形態によれば、左右キー１６１ｂが、時間間隔を上下キー１６１ａより大きく変化させて開始時刻情報または終了時刻情報の少なくとも何れか一方を入力するために用いられる構成を有している。
【０１５９】
この構成により、本実施形態では、異なる時間間隔を有するキー用いることにより、簡単にかつ的確に日時情報を入力することができるので、ユーザの操作性および利便性の優れた装置を提供することができる。
【０１６０】
また、本実施形態によれば、左右キー１６１ｂおよび上下キー１６１ａが、それぞれ、開始時刻情報または終了時刻情報の入力する際に、入力する時刻を先に進める順送り部と、当該入力する時刻を後に戻す逆送り部と、から構成されている。
【０１６１】
この構成により、本実施形態では、簡単な構成により迅速に日時情報を入力することができる。
【０１６２】
また、本実施形態によれば、コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、日情報および日時情報を確定させるための操作部１６３と、日時情報が入力される際に、入力される当該日時情報に対応して当該日時情報を日毎に告知するための画像データを生成する番組予約情報設定部３００およびＯＳＤ１４６と、確定された日時情報に基づいて、配信されるコンテンツ情報の記録または再生の少なくとも何れか一方の制御を行うシステム制御部１６６と、を備え、番組予約情報設定部３００およびＯＳＤ１４６が、予約終了時刻が入力される場合であって、当該予約終了時刻と設定された予約開始時刻が異なる日に属する場合に、予約開始時刻が属する日の表示に連続させて当該予約終了時刻を表示する画像データを生成する構成を有している。
【０１６３】
この構成により、本実施形態では、予約終了時刻が入力される場合であって、当該予約終了時刻と設定された予約開始時刻が異なる日になる場合に、予約開始時刻が属する日の表示に連続させて当該予約終了時刻を表示する画像データを生成する。
【０１６４】
したがって、外部にこの画像データを表示する表示手段を設けることにより、平易な方法でかつ視覚的に予約状況をユーザに提供することができるので、簡単にかつ的確に日時情報を入力することができるので、ユーザの操作性および利便性の優れた装置を提供することができる。
【０１６５】
また、本実施形態によれば、コンテンツ情報が配信される日を示す日情報と当該コンテンツ情報の配信開始時刻を示す開始時刻情報または配信終了時刻を示す終了時刻情報の少なくとも何れか一方を含む日時情報とが入力された場合に、日情報および日時情報を確定させるための操作部１６３と、日時情報が入力される際に、入力される当該日時情報に対応して当該日時情報を告知するための画像データを生成する番組予約情報設定部３００およびＯＳＤ１４６と、確定された日時情報に基づいて、配信されるコンテンツ情報を記録媒体に記録させるシステム制御部１６６と、記録媒体の記録可能な残量を示す記録残量情報を検出する記録残量検出部３０４と、を備え、番組予約情報設定部３００が、検出された記録残量情報に基づいて操作部１６３における日時情報の入力を制限する構成を有している。
【０１６６】
この構成により、本実施形態では、記録媒体の記録可能な残量を示す記録残量情報を検出し、当該検出された記録残量情報に基づいて操作部１６３における日時情報の入力を制限する。
【０１６７】
したがって、記録媒体に記録するコンテンツ情報の記録時間よりも記録媒体に記録することができる記録時間が少ない場合に、コンテンツ情報の記録予約する際に記録の可否を平易な方法により確認させることができるので、簡単にかつ的確に日時情報を入力することができるので、ユーザの操作性および利便性の優れた装置を提供することができる。
【０１６８】
また、本実施形態によれば、番組予約情報設定部３００およびＯＳＤ１４６が、日毎に時間軸を有する画像データに日時情報を組み込む構成を有している。
【０１６９】
この構成により、本実施形態では、外部にこの画像データを表示する表示手段を設けることにより、平易な方法でかつ視覚的に予約状況をユーザに提供することができるので、簡単にかつ的確に日時情報を入力することができるので、ユーザの操作性および利便性の優れた装置を提供することができる。
【０１７０】
なお、各記録メディアに記録するコンテンツ情報は、映像データのみ、または音声データのみでもよい。
【０１７１】
また、上述の情報記録再生装置１００によって、番組予約を行うようになっているが、放送番組を記録する記録媒体とその記録装置を有する情報記録再生装置１００にコンピュータおよび情報記録媒体を備え、この情報記録媒体に上述の番組予約設定の処理動作を行うプログラムを格納し、このコンピュータで当該プログラムを読み込むことによって上述と同様の動作を行うようにしてもよい。
【０１７２】
また、本実施形態では、番組予約情報設定部３００によって設定された配信時刻において、ＨＤ２００またはＤＶＤ２０２に当該設定された放送番組を記録する記録予約を行うようになっているが、ＨＤ２００またはＤＶＤ２０２に当該設定された放送番組を記録せず、当該設定された時刻に、単に放送される番組を再生する再生予約を行うようにしてもよい。
【図面の簡単な説明】
【図１】本願に係る情報記録再生装置の一実施形態における概要構成を示すブロック図である。
【図２】一本実施形態におけるリモコン装置のキー構成の一部を示す構成図の一例である。
【図３】一実施形態の情報再生装置の番組予約情報設定部の構成を示すブロック図である。
【図４】一実施形態のＯＳＤが生成する番組予約表の映像情報の一例である。
【図５】一実施形態の番組予約設定部における番組予約情報表の映像情報の生成処理を説明するための図（１）である。
【図６】一実施形態の番組予約設定部における番組予約情報表の映像情報の生成処理を説明するための図（２）である。
【図７】一実施形態の番組予約設定部における番組予約情報表の映像情報の生成処理を説明するための図（３）である。
【図８】一実施形態の番組予約設定部における番組予約情報表の映像情報の生成処理を説明するための図（４）である。
【図９】一実施形態の番組予約設定部における番組予約情報表の映像情報の生成処理を説明するための図（５）である。
【図１０】一実施形態の番組予約設定部における番組予約情報表の映像情報の生成処理を説明するための図（６）である。
【図１１】一実施形態における番組予約設定の処理動作を示すフローチャートである。
【図１２】一実施形態における第１予約終了時刻設定処理の動作を示すフローチャートである。
【図１３】一実施形態における第２予約終了時刻設定処理の動作を示すフローチャートである。
【符号の説明】
１００  …  情報記録再生装置
１２０  …  データ記録系
１４０  …  データ再生系
１４６  …  ＯＳＤ
１６０  …  システム制御系
１６４  …  操作部
３００  …  番組予約情報設定部
１６６  …  システム制御部
３０１  …  時間計測部
３０２  …  キー検出部３０２
３０３  …  番組予約設定部
３０４  …  記録残量検出部
【図１】
2005045385.tif 000003
【図２】
2005045385.tif 000004
【図３】
2005045385.tif 000005
【図４】
2005045385.tif 000006
【図５】
2005045385.tif 000007
【図６】
2005045385.tif 000008
【図７】
2005045385.tif 000009
【図８】
2005045385.tif 000010
【図９】
2005045385.tif 000011
【図１０】
2005045385.tif 000012
【図１１】
2005045385.tif 000013
【図１２】
2005045385.tif 000014
【図１３】
2005045385.tif 000015